(57)【要約】【課題】  相乗り希望者へ提示する相乗り相手の出現率を高くし、相乗りの機会を増大することができる相乗り支援システムを提供すること。【解決手段】  複数項目の希望条件を満たす相乗り相手が存在しないときには、希望条件の項目数を減らして相乗り相手を検索し、履歴記憶手段が記憶している相乗りを行った相乗り相手の属性に応じて複数項目の希望条件の中から優先項目を設定し、検索した相乗り相手のうち優先項目の条件を満たす相乗り相手が上位となるように端末に表示させるようにした。【選択図】  図3
2015035044.tif 000002
【特許請求の範囲】
【請求項１】
賃走車両の相乗り希望者により端末から入力された希望条件を記憶する条件記憶手段と、
前記希望条件を満たす前記相乗り相手を検索し、検索した前記相乗り相手を前記端末に表示させる第一検索手段と、
前記相乗り希望者により過去に相乗りが行われた前記相乗り相手を記憶する履歴記憶手段と、
前記希望条件を満たす前記相乗り相手が存在しないときには、前記希望条件の項目数を減らして前記相乗り相手を検索し、前記履歴記憶手段が記憶している前記相乗り相手の属性に応じて前記相手条件の中から優先条件を設定し、検索した前記相乗り相手のうち前記優先条件を満たす前記相乗り相手が上位となるように前記端末に表示させる第二検索手段と、
を備えたことを特徴とする相乗り支援システム。
【請求項２】
請求項1に記載の相乗り支援システムにおいて、
前記第二検索手段は、前記端末に検索した前記相乗り相手を表示させる際に、前記希望条件を満たした項目を表示させることを特徴とする相乗り支援システム。
【請求項３】
請求項1または請求項2に記載の相乗り支援システムにおいて、
前記第二検索手段は、前記端末に検索した前記相乗り相手を表示させる際に、前記相乗り相手の相乗り経験回数を表示させることを特徴とする相乗り支援システム。
【請求項４】
請求項1ないし請求項3のいずれか1項に記載の相乗り支援システムにおいて、
相乗り終了後に、前記端末に前記相乗り相手に対する評価を行う表示をさせ、前記相乗り希望者により入力された前記評価を記憶する評価記憶手段を有し、
前記第二検索手段は、前記相乗り希望者本人および／または他の相乗り希望者により入力された前記評価に応じて前記優先条件を設定することを特徴とする相乗り支援システム。
【請求項５】
請求項1ないし請求項4のいずれか1項に記載の相乗り支援システムにおいて、
前記希望条件には、前記相乗り希望者の乗車地、降車地を含み、
前記端末に表示された前記相乗り相手から前記相乗り希望者により選択されることで、実際に相乗りをする前記相乗り相手を決定し、前記相乗り相手の決定後、前記相乗り希望者の乗車地から降車地までの運行経路、運行距離、予定運行時間を前記端末に表示させる運行情報表示手段を有することを特徴とする相乗り支援システム。
【請求項６】
請求項1ないし請求項5のいずれか1項に記載の相乗り支援システムにおいて、
前記賃速車両は、タクシーで使用される普通自動車であることを特徴とする相乗り支援システム。
【請求項７】
請求項1ないし請求項5のいずれか1項に記載の相乗り支援システムにおいて、
前記賃速車両は、乗合バスで使用される小型バスであることを特徴とする相乗り支援システム。
【発明の詳細な説明】
【技術分野】
【０００１】
本発明は、通信網を介して、賃走車両の相乗り希望者の設定条件に合った相乗り相手を検索する相乗り支援システムに関するものである。
【背景技術】
【０００２】
この種の技術としては、下記の特許文献1に記載の技術が開示されている。この文献には、相乗り希望者の設定条件を満たす相乗り相手を検索するものが開示されている。
【先行技術文献】
【特許文献】
【０００３】
【特許文献１】特開2003-044702号公報
【発明の概要】
【発明が解決しようとする課題】
【０００４】
上記特許文献1に記載の技術では、相乗り希望者の設定条件を全て満たす相乗り相手を検索して、相乗り希望者に提示するようにしているため、設定条件の項目数が多くなるほど設定条件を満たす相乗り相手の出現率が低くなり、相乗りの機会が低減するおそれがあった。
本発明は、上記問題に着目されたもので、その目的とするところは、相乗り希望者へ提示する相乗り相手の出現率を高くし、相乗りの機会を増大することができる相乗り支援システムを提供することである。
【課題を解決するための手段】
【０００５】
上記課題を解決するために本発明では、複数項目の希望条件を全て満たす相乗り相手が存在しないときには、項目数を減らして相乗り相手を検索し、履歴記憶手段が記憶している相乗りを行った相乗り相手の属性に応じて複数項目の希望条件の中から優先項目を設定し、検索した相乗り相手のうち優先項目の条件を満たす相乗り相手が上位となるように端末に表示させるようにした。
【発明の効果】
【０００６】
よって、相乗り希望者の全ての条件を満たす相乗り相手候補がいないときであっても、より相乗り希望者の希望に近い候補を提示することができ、相乗り機会を増大させることができる。
【図面の簡単な説明】
【０００７】
【図１】実施例1の相乗り支援システムのシステム構成図である。
【図２】実施例1のサーバの制御の制御ブロック図である。
【図３】実施例1の制御部において行われる制御の流れを示すフローチャートである。
【発明を実施するための形態】
【０００８】
〔実施例1〕
実施例1の相乗り支援システム1について説明する。相乗り支援システム1は、賃走車両を複数のグループ（1グループは一人で構成されても、二人以上で構成されても良い）で相乗りする際に、相乗りする相手を検索するためのシステムである。ここで賃走車両としては、一般にタクシーなどで使われている普通自動車、乗合バスなどで使われている小型バスを想定している。
［システム構成］
図1は、相乗り支援システム1のシステム構成図である。相乗り支援システム1は、通信網2と、利用者端末3と、車両端末4と、サービス提供会社端末5と、サーバ6とを有している。
【０００９】
通信網2は、インターネット網、電話回線網などであり、各端末とサーバ6とが通信を行えるものであれば特に限定しない。
利用者端末3は、相乗り支援システム1を使って相乗り相手を探す相乗り希望者が保持している端末であり、タブレット、スマートフォン、携帯電話、パーソナルコンピュータなど特に限定しない。
【００１０】
車両端末4は、賃走車両内に設けられた端末であり、タブレット、スマートフォン、携帯電話、パーソナルコンピュータなど特に限定しない。
サービス提供会社端末5は、相乗り支援システム1を提供する会社の端末であり、タブレット、スマートフォン、携帯電話、パーソナルコンピュータなど特に限定しない。
【００１１】
サーバ6は、相乗り支援システム1の制御、データベースの保持などを行うコンピュータである。サーバ6はサービス提供会社内に設置されていても良いし、別の場所に設置されていても良い。
サーバ6は、制御部60と、予約受付部61と、配車計画部62と、乗車情報データベース63と、利用者情報データベース64とを有している。
【００１２】
制御部60は、各端末から入力される情報の処理や、各端末に表示する情報の処理を行う。
予約受付部61は、利用者端末3から相乗り相手への希望条件の入力を受け付け、この希望条件を利用者情報データベース64に送る。
配車計画部62は、賃走車両に乗降予定の利用者の乗降地、希望乗車時間などに基づいて、運行経路、運行距離、予定運行時間、運賃などを計算する。
【００１３】
乗車情報データベース63は、相乗りサービスの利用者からの評価や、乗車情報の統計データなどを記憶している。
利用者情報データベース64は、事前に利用者が登録する利用者情報や、利用者が相乗りサービスを利用する際に登録する希望条件情報などを記憶している。
【００１４】
［制御ブロック図］
図2はサーバ6の制御の制御ブロック図である。
サービスの利用者は事前に利用者情報を登録しておく。この利用者情報は、利用者情報データベース64の利用者情報記憶部64aに記憶されている。利用者情報は、各利用者ごとのに唯一の記号列からなるID（登録時に自動的に割り当てられる）、性別、年代、子供の同乗の可／不可、ペットの同乗の可／不可、異性の同乗の可／不可、主な乗降地などである。また、サービスの利用のたびに、相乗り回数、過去にサービスを利用したときの履歴（利用時間、相乗り相手の性別などの属性、その他）が自動的に登録される。利用者情報記憶部64aには、サービスの利用登録を行った全ての利用者の利用者情報が記憶されている。
【００１５】
相乗り希望者は、利用者端末3から希望条件を入力する。希望条件は、事前登録時のID、乗車地、降車地、乗車希望時間、子供の同乗の有／無、ペットの同乗の有／無などを入力する。入力された希望条件は、制御部60の希望条件入力部60a、予約受付部61を経て利用者情報データベース64の希望条件情報記憶部64bに書き込まれる。希望条件情報記憶部64bには、現在相乗りを希望している全ての相乗り希望者の希望条件が記憶されている。
【００１６】
相乗り希望者が希望条件を入力すると、制御部60の第一検索部60bにおいて、相乗り希望者の利用者情報のうち相手条件項目（例えば、子供の同乗の可／不可、ペットの同乗の可／不可、異性の同乗の可／不可など）、および利用者端末で入力された希望条件のうち相手条件項目（乗車地、降車地、乗車希望時間、子供の同乗の有／無、ペットの同乗の有／無など）を満たす相乗り相手を検索する。以下では相手条件項目（例えば、子供の同乗の可／不可、ペットの同乗の可／不可、異性の同乗の可／不可、乗車地、降車地、乗車希望時間、子供の同乗の有／無、ペットの同乗の有／無など）を単に相手条件として記載する。
相手条件を満たす相乗り相手が見つかった場合には、その相乗り相手の情報を利用者端末3に表示させる。
【００１７】
相手条件を満たす相乗り相手が見つからなかった場合には、制御部60の第二検索部60cにおいて、相手条件の項目数を減らして相乗り相手を検索する。項目数を減らした相手条件を満たす相乗り相手が見つかった場合には、その相乗り相手の情報を利用者端末3に表示させる。このとき、相手条件に合致した条件と、合致しなかった条件とをそれぞれ明確に示す。また、相乗り希望者が過去にサービスを利用したときの履歴、後述する評価情報および乗車情報から相乗り希望者の希望条件のうち優先条件を設定し、優先条件をより多く満たす相乗り相手を上位に表示するようにする。
【００１８】
相乗り相手が決定すると、配車計画部62において車両条件（乗車地、降車地、希望乗車時間など）に基づいて運行経路、運行距離、運賃などを計算する。制御部60の運行情報表示部60dは、配車計画部62において計算された運行経路、運行距離、運賃などを利用者端末3に表示させる。
【００１９】
降車後、利用者には任意で利用者端末3から相乗り支援サービスの評価を入力してもらう。入力された評価を、乗車情報データベース63の評価情報記憶部63aに記憶する。評価の内容は、相乗り相手への属性に対する評価、例えば、相手の性別、年代などの希望が合わなかったことや、今回の相乗り相手との相乗りを禁止するといった情報を登録できるようにする。また、運行径路、運行距離、運行時間、運賃に対する評価も受け付ける。
【００２０】
また、利用者が直接入力する評価以外に、利用者の組み合わせ、利用時間帯などを乗車情報データベース63の乗車情報記憶部63bに記憶する。
【００２１】
［制御処理］
図3は制御部60において行われる制御の流れを示すフローチャートである。ここでは、利用者情報は既に登録されているものとする。
ステップS1では、相乗り希望者から希望条件を受け付ける。
ステップS2では、相乗り希望者の利用者情報の相手条件項目および利用者端末で入力された希望条件の相手条件項目を満たす相乗り相手候補を検索する。
【００２２】
ステップS3では、相乗り相手候補が見つかったか否かを判定し、見つかったときにはステップS6へ移行し、見つからなかったときにはステップS4へ移行する。
ステップS4では、相手条件の項目数を減らして相乗り相手候補を検索する。
ステップS5では、相乗り相手候補が見つかったか否かを判定し、見つかったときにはステップS6へ移行し、見つからなかったときにはステップS12へ移行する。
【００２３】
ステップS6では、相乗り相手候補のリストを利用者端末3に表示させる。
ステップS7では、相乗り希望者から相乗り相手の選択を受け付ける。
ステップS8では、選択された相乗り相手に相乗りの可否を問い合わせ、相乗りが可であるか否かを判定する。相乗りが可であるときにはステップS9へ移行し、不可であるときにはステップS12へ移行する。
【００２４】
ステップS9では、運行経路、運行距離、予定運行時間を利用者端末3に表示させる。
ステップS10では、賃走車両を配車させる。
ステップS11では、降車後、利用者には任意で利用者端末3から相乗り支援サービスの評価を入力してもらい、その評価を受け付け、処理を終了する。
【００２５】
ステップS12では、相乗り希望者に単独で利用するか否かを問い合わせ、単独利用を受け入れたときにはステップS13へ移行し、単独利用を拒否したときにはステップS2に戻って、相乗り相手候補が現れるのを待つ。
ステップS13では、賃走車両を配車させて、処理を終了する。
【００２６】
［制御処理動作］
（全ての希望条件を満たす相乗り相手候補がいるとき）
相乗り希望者の相手条件を満たす相乗り相手候補がいるときには、図3のフローチャートにおいて、ステップS1→ステップS2→ステップS3→ステップS6へと進む。
【００２７】
ステップS6では、相乗り希望者の利用履歴、相乗り希望者および他の利用者の評価情報、乗車情報から相乗り希望者が選択する可能性の高い候補者が上位となるとよう表示させる。
【００２８】
例えば、相乗り回数の多い候補を上位に表示させるようにする。また、相手条件を満たしても、過去の評価情報で評価が低い候補は下位に表示させるようにする。また、相乗り希望者が子供の同乗を可と登録していたとしても、利用履歴から子供との同乗が少ないときには、子供の同乗がない候補が上位に表示させるようにする。また、相乗り希望者が異性の同乗を可と登録していたとしても、利用者全員の乗車情報を分析し異性との同乗が少ない時間帯には、同性の候補が上位に表示されるようにする。
【００２９】
（全ての希望条件を満たす相乗り相手候補がいないとき）
相乗り希望者の相手条件を満たす相乗り相手候補がいないときには、図3のフローチャートにおいて、ステップS1→ステップS2→ステップS3→ステップS4→ステップS5→ステップS6へと進む。
【００３０】
ステップS4では、相手条件の項目を減らして再検索を行う。
ステップS6では、相乗り希望者の相手条件に合致した条件と、合致しなかった条件とをそれぞれ明確に示す。また、相乗り希望者が過去にサービスを利用したときの履歴、評価情報および乗車情報から相乗り希望者の希望条件のうち優先条件を設定し、優先条件をより多く満たす相乗り相手を上位に表示するようにする。
【００３１】
例えば、相乗り回数の多い候補を上位に表示させるようにする。また、合致した相手条件の項目や項目数が同じでも、過去の評価情報で評価が低い候補は下位に表示させるようにする。また、相乗り希望者が相手条件に「子供の乗車を不可」と登録し、利用履歴から子供との同乗が少ないときには、「子供の乗車を不可」の条件を優先条件に設定する。このとき、条件を満たさない他の項目が多くても子供の同乗がない候補が上位に表示させるようにする。また、相乗り希望者が相手条件に「異性の乗車を不可」と登録し、利用者全員の乗車情報から異性との同乗が少ない時間帯には、「異性の乗車を不可」の条件を優先条件に設定する。このとき、条件を満たさない他の項目が多くても同性の候補が上位に表示されるようにする。
【００３２】
（相乗り相手候補が相乗りを受け入れたとき）
ステップS7で相乗り希望者が相乗り相手を選択し、選択された相乗り相手が相乗りを受け入れたときには、図3のフローチャートにおいて、ステップS8→ステップS9→ステップS10→ステップS11へと進む。これにより、1台の賃走車両に相乗りを行うことができる。
【００３３】
（相乗り相手候補が相乗りを拒否したとき）
ステップS7で相乗り希望者が相乗り相手を選択し、選択された相乗り相手が相乗りを拒否したときには、ステップS8→ステップS12へと進む。ここで単独利用を選択したときにはステップS12→ステップS13へと進み、単独で賃走車両を利用することとなる。また単独利用を選択しなかったときには、ステップS2に戻って相乗り相手候補が現れるのを待つ。
【００３４】
（相乗り相手候補がいないとき）
ステップS2での検索、ステップS5での検索でも相乗り相手候補が見つからないときには、図3のフローチャートにおいて、ステップS1→ステップS2→ステップS3→ステップS4→ステップS5→ステップS12へと進む。ここで単独利用を選択したときにはステップS12→ステップS13へと進み、単独で賃走車両を利用することとなる。また単独利用を選択しなかったときには、ステップS2に戻って相乗り相手候補が現れるのを待つ。
【００３５】
［作用］
普通自動車、小型バスなどは、車内空間が狭いため、相乗り利用者の組み合わせの適合が重要となる。相乗りサービスの満足度向上のためには、相乗り希望者の相手条件を満たす相乗り相手候補を提示することが重要となる。しかしながら、相手条件を満たす相乗り相手候補のみを提示しようとすると、相乗り相手候補の出現率が低くなり、相乗りの機会が低減し、却ってサービスの満足度が低下する恐れがある。
【００３６】
相乗り相手候補の出現率を高めるためには、相手条件の項目数を減らして相乗り相手候補を検索すれば良いが、相手条件を減らすことにより相乗り希望者に適合しない相乗り相手候補を提示することとなり、やはりサービスの満足度が低下するおそれがある。
【００３７】
そこで実施例1では、相手条件を満たす相乗り相手候補がいないときには、条件数を減らして候補を検索し、相乗り希望者が過去にサービスを利用したときの履歴、評価情報および乗車情報から相乗り希望者の相手条件のうち優先条件を設定し、優先条件をより多く満たす相乗り相手を上位に表示するようにするようにした。
【００３８】
これにより、相乗り希望者の全ての条件を満たす相乗り相手候補がいないときであっても、より相乗り希望者の希望に近い候補を提示することができ、サービスへの満足度を向上させ、相乗り機会を増大させることができる。
【００３９】
また、条件数を減らして検索した候補を利用者端末3に表示するときには、相乗り希望者の希望条件に合致した条件と、合致しなかった条件とをそれぞれ示すようにした。
これにより、相乗り希望者が相乗り相手を選択するときの判断基準とすることができ、選択した相乗り相手と実際に相乗りを行うときにも、相乗り希望者の納得感を得やすく、サービスへの満足度を向上させることができる。
【００４０】
また、条件数を減らして検索した候補を利用者端末3に表示するときには、相乗り相手候補の相乗り回数を表示させるようにした。
相乗り回数が多い利用者は、他の利用者から相乗り相手として選択され、また評価も低くはない利用者であると考えられる。相乗り回数も表示することで、相乗り希望者は安心感のある相乗り相手を判断することができる。
【００４１】
また、相乗り終了後に、相乗り希望者に相乗り相手に対する評価を行ってもらい、条件数を減らして検索した候補を利用者端末3に表示するときには、相乗り希望者本人や他の利用者が入力した評価が低い候補は下位に表示させるようにした。
これにより、相乗り希望者が、サービスへの満足度が低くなる可能性が高い候補を選択する機会を少なくし、結果としてサービスへの満足度を向上させることができる。
【００４２】
また、相乗り相手が決定した後、利用者端末3に相乗り希望者の乗車地から降車地までの運行経路、運行距離、予定運行時間、運賃などを表示させるようにした。
これにより、相乗り希望者へ安心感を与えることができ、サービスへの満足度を向上させることができる。
【００４３】
また、賃走車両としてタクシーとして使用される普通自動車を用いるようにした。
相乗りサービスにより、利用者一人当たりの運賃を下げることができる。そのため、タクシーの利用回数が増え、配車効率を高めることができる。
【００４４】
また、賃走車両として乗合バスとして使用される小型バスを用いるようにした。
相乗りサービスにより、利用者を希望降車地まで送ることができ、利用者の利便性を高め、サービスへの満足度を高めることができる。
【００４５】
［効果］
(1) 賃走車両の相乗り希望者により利用者端末3（端末）から入力された希望条件を記憶する希望条件情報記憶部64b（希望条件記憶手段）と、希望条件を全て満たす相乗り相手を検索し、検索した相乗り相手を利用者端末3に表示させる第一検索部60b（第一検索手段）と、相乗り希望者により過去に相乗りが行われた相乗り相手を記憶する利用者情報記憶部64a（履歴記憶手段）と、希望条件を満たす相乗り相手が存在しないときには、希望条件の項目数を減らして相乗り相手を検索し、利用者情報記憶部64aが記憶している相乗りを行った相乗り相手の属性に応じて希望条件の中から優先項目を設定し、検索した相乗り相手のうち優先項目の条件を満たす相乗り相手が上位となるように利用者端末3に表示される第二検索部60c（第二検索手段）とを設けた。
よって、相乗り希望者の希望条件を満たす相乗り相手候補がいないときであっても、より相乗り希望者の希望に近い候補を提示することができ、サービスへの満足度を向上させ、相乗り機会を増大させることができる。
【００４６】
(2) 第二検索部60cは、利用者端末3に検索した相乗り相手を表示させる際に、希望条件を満たした項目を表示させるようにした。
よって、相乗り希望者が相乗り相手を選択するときの判断基準とすることができ、選択した相乗り相手と実際に相乗りを行うときにも、相乗り希望者の納得感を得やすく、サービスへの満足度を向上させることができる。
【００４７】
(3) 第二検索部60cは、利用者端末3に検索した相乗り相手を表示させる際に、相乗り相手の相乗り経験回数を表示させるようにした。
よって、相乗り希望者は安心感のある相乗り相手を判断することができる。
【００４８】
(4) 相乗り終了後に、利用者端末3に相乗り相手に対する評価を行う表示をさせ、相乗り希望者により入力された評価を記憶する評価情報記憶部63a（評価記憶手段）を有し、第二検索部60cは、相乗り希望者本人および／または他の相乗り希望者により入力された評価に応じて優先項目を設定するようにした。
よって、相乗り希望者が、サービスへの満足度が低くなる可能性が高い候補を選択する機会を少なくし、結果としてサービスへの満足度を向上させることができる。
【００４９】
(5) 相乗り相手に対する複数項目の希望条件には、相乗り希望者の乗車地、降車地を含み、利用者端末3に表示された相乗り相手から相乗り希望者により選択されることで、実際に相乗りをする相乗り相手を決定し、相乗り相手の決定後、相乗り希望者の乗車地から降車地までの運行経路、運行距離、予定運行時間を利用者端末3に表示させる運行情報表示部60d（運行情報表示手段）を設けた。
よって、相乗り希望者へ安心感を与えることができ、サービスへの満足度を向上させることができる。
【００５０】
(6) 賃速車両を、タクシーで使用される普通自動車とした。
よって、タクシーの利用回数が増え、配車効率を高めることができる。
【００５１】
(7) 賃速車両を、乗合バスで使用される小型バスとした。
よって、利用者の利便性を高め、サービスへの満足度を高めることができる。
【００５２】
〔他の実施例〕
以上、本発明は上記実施例の構成に限らず、他の構成であっても構わない。
例えば、実施例1で示した利用者情報、希望条件情報、評価情報、乗車情報や利用者端末の表示の項目は一例を示したのみであって、他の項目を加えても良いし、項目の一部を削除しても良い。
【符号の説明】
【００５３】
3    利用者端末（端末）
60b    第一検索部（第一検索手段）
60c    第二検索部（第二検索手段）
60d    運行情報表示部（運行情報表示手段）
63a    評価情報記憶部（評価記憶手段）
64a    利用者情報記憶部（履歴記憶手段）
64b    希望条件情報記憶部（希望条件記憶手段）
【図１】
2015035044.tif 000003
【図２】
2015035044.tif 000004
【図３】
2015035044.tif 000005